(57)【要約】【課題】長尺グロメットにワイヤーハーネスを挿通する際に、ワイヤーハーネスにコネクタを付けた状態で長尺グロメットを挿通することができる長尺グロメット挿通装置を提供する。【解決手段】一端にグロメット内径より小さい外径を有するロッド状のグロメット挿入部と、他端にワイヤーハーネスのコネクタ部の収納空間を有するコネクタ収納部と、前記ロッド状のグロメット挿入部から前記コネクタ収納部に向かって外径が漸次増大するテーパー部とからなるグロメット挿入治具、並びに、該グロメット挿入治具に挿入されたグロメットを扱く装置であって、該装置の前面に前記グロメット挿入治具のグロメット挿入部の外径に応じて開口径が変化するグロメット係止部を備え、該グロメット係止部の後方に、前記グロメット挿入治具を牽引する牽引部とを備えたグロメット挿入治具牽引装置とで構成される。【選択図】図１
0003120344.tif 000002
【実用新案登録請求の範囲】
【請求項１】
グロメットにワイヤーハーネスを挿通する装置において、一端にグロメット内径より小さい外径を有するロッド状のグロメット挿入部と、他端にワイヤーハーネスのコネクタ部を収納する空間を有するコネクタ収納部と、前記ロッド状のグロメット挿入部から前記コネクタ収納部に向かって外径が漸次増大するテーパー部とからなるグロメット挿入治具、並びに、該グロメット挿入治具に挿入されたグロメットを扱く装置であって、該装置の前面に、前記グロメット挿入治具の外径に応じて開口径が変化するグロメット係止部を備え、該グロメット係止部の後方に、グロメット挿入治具のグロメット挿入部先端に設けた連結部と連結し前記グロメット挿入治具を所定距離牽引する牽引部とを備えたグロメット挿入治具牽引装置とからなる長尺グロメット挿通装置。
【請求項２】
前記グロメット挿入治具のコネクタ収納部にコネクタの脱落防止用のストッパを設けたことを特徴とする請求項１記載の長尺グロメット挿通装置。
【請求項３】
前記グロメット挿入治具の表面がメッキ処理されていることを特徴とする請求項１又は２記載の長尺グロメット挿通装置。
【請求項４】
前記グロメット挿入治具の表面がフッ素樹脂コーティング、アルマイト処理、カシマコート処理の何れかで表面処理されていることを特徴とする請求項１又は２記載の長尺グロメット挿通装置。
【請求項５】
前記グロメット挿入治具の表面の長手方向に複数の突条又は溝を形成したことを特徴とする請求項１乃至４の何れか１項に記載の長尺グロメット挿通装置。
【請求項６】
前記グロメット挿入治具のテーパー部の断面の形状が、ロッド部側からコネクタ収納部に向かって緩やかな凹曲線を描き、コネクタ収納部の付近から凸曲線を描くような円錐状であることを特徴とする請求項１乃至５の何れか１項に記載の長尺グロメット挿通装置。
【請求項７】
前記グロメット挿入治具のテーパー部が、円錐と円筒を順次組み合わせて段階的に外径を増加させるものであることを特徴とする請求項１乃至５の何れか１項に記載の長尺グロメット挿通装置。
【請求項８】
前記グロメット挿入治具のテーパー部に複数のエア吹出孔を設けたことを特徴とする請求項１乃至７の何れか１項に記載の長尺グロメット挿通装置。
【請求項９】
前記グロメット挿入治具牽引装置前面に設けたグロメット係止部はスプリング等で閉方向に付勢されグロメット挿入治具の外径に応じて開口寸法が変化することを特徴とする請求項１に記載の長尺グロメット挿通装置。
【請求項１０】
前記グロメット挿入治具のグロメット挿入部先端とグロメット挿入治具牽引装置の牽引部とを連結する構造がピン、カプラ、ねじ、クランプの何れかを用いたものであることを特徴とする請求項１に記載の長尺グロメット挿通装置。
【請求項１１】
前記グロメット挿入治具牽引装置の牽引部がクランク、ピニオン・ラック、エアシリンダ、ボールスクリューの何れかを用いたものであることを特徴とする請求項１に記載の長尺グロメット挿通装置。
【請求項１２】
前記グロメット挿入治具牽引装置の牽引部はグロメット挿入治具を所定距離牽引することを特徴とする請求項１に記載の長尺グロメット挿通装置。
【請求項１３】
前記グロメット挿入治具牽引装置の牽引部は、グロメット挿入治具を所定距離牽引し、かつグロメット挿入治具を元の位置に押し戻し停止する復帰動作をすることを特徴とする請求項１に記載の長尺グロメット挿通装置。
【考案の詳細な説明】
【技術分野】
【０００１】
この考案は、車両のドア等の開閉部等に用いる長尺のグロメットにワイヤーハーネス等を挿通するグロメット挿通装置に関する。
【背景技術】
【０００２】
自動車等の車両の電装品はＩＴ技術の進歩に伴い非常に高度かつ複雑化し、情報等を伝達する配線の接続部には高い信頼性が求められるようになった。このためコネクタの信頼性向上とともに車体等のワイヤーハーネス貫通部には防水、防音、ワイヤーハーネスの損傷防止等のため配線用グロメットが多用されてようになった。また、電装品の多様化・高度化により、ドア等の開閉部にも各種電装品が配設されるようになり、車体とドア等の開閉部には従来の配線用グロメットより可ぎょう性が高い蛇腹状の中間部に有する長尺グロメットが用いられるようになった。
【０００３】
従来、ワイヤーハーネスを配線用グロメットに挿通させる器具としては、複数の可動板に取付けた複数のピンにグロメットを挿入し、前記可動板を放射状に移動させてピンの間隔を拡げてグロメット胴部を拡張し、この拡張した中にワイヤーハーネスを通す装置が一般的であった。（例えば特許文献１参照。）
しかしながら、これら従来の装置では、グロメットの胴部を拡張するためのピンが片持ち構造であるため、上述した細長い蛇腹状の中間部を有するグロメットに対しては、長いピンを用いてもピンの先端側がグロメットの収縮力に負けて開かず、十分な拡張が不可能であり、上述の細長い蛇腹状の中間部を有するグロメットには適用できなかった。
【０００４】
このためワイヤーハーネスに上述したような長尺グロメットを挿通させる場合は、手作業に頼らざるを得なかった。具体的には、配線を挿通させる治具を用いて、端子を取付けただけの状態の配線を挿通させ、その後に端子をコネクタに挿入する手作業を行っていた。（例えば特許文献２参照）しかし、コネクタに後から端子を挿入する場合は、誤配線の危険性が絶無とはいえず、ワイヤーハーネスの品質検査に多大な時間とコストが掛かっていた。
【０００５】
この問題を解決するため、両持ちのピンを用いて長尺グロメットを拡張する装置（例えば、特許文献３参照）や、グロメットに複数のワイヤを通し、各ワイヤを両側から張り拡げ、長尺グロメットを拡張する装置（例えば、特許文献４）が提案されている。
【０００６】
【特許文献１】実開平４−９７６６５号
【特許文献２】特開平５−１６１２２９号
【特許文献３】特開２００１−２５１４０号
【特許文献４】特開２００４−３１２８５０号
【考案の開示】
【考案が解決しようとする課題】
【０００７】
前記従来技術の、両持ちの複数のピンを用いて長尺グロメットを拡張する装置は、ピンの束の片方の支持体を外してグロメットを挿入し、再度該支持体に各ピンを装着する作業を要するため作業性が悪く、また、ピンに強度を持たせるためにピンの径を太くすると長尺グロメットをピンの束に挿入すること自体が困難になるという問題があった。また、グロメットに複数のワイヤを通して各ワイヤを張り拡げる装置も、グロメットに複数のワイヤを通しその複数のワイヤの一端をそれぞれ所定の位置にセットする煩雑な作業が必要であり、また、ワイヤーハーネス挿通後にグロメット内のワイヤーハーネスの隙間から当該ワイヤを引き抜く必要があり、この装置も作業性に問題があった。また何れの装置においても、数本のピン若しくはワイヤで長尺グロメットの蛇腹部を拡張するため、グロメットのピン等が接している箇所が相対的に強く引き延ばされ、グロメットの部分的な損傷による耐久性低下への影響が懸念される。
【０００８】
この考案は、従来技術の問題点である、長尺グロメットにワイヤーハーネスを挿通する際にグロメットを局部的に引き延ばすことなく、ワイヤーハーネスにコネクタを付けた状態で長尺グロメットを挿通することができる、長尺グロメット挿通装置を提供することを目的とする。
【課題を解決するための手段】
【０００９】
本考案に係る長尺グロメット挿通装置は、一端にグロメット内径より小さい外径を有するロッド状のグロメット挿入部と、他端にワイヤーハーネスのコネクタ部の収納空間を内部に有するコネクタ収納部と、前記ロッド状のグロメット挿入部から前記コネクタ収納部に向かって外径が漸次増大するテーパー部とからなるグロメット挿入治具、並びに、該グロメット挿入治具に挿入されたグロメットを扱く装置であって、該装置の前面に、前記グロメット挿入治具の外径に応じて開口径が変化するグロメット係止部を備え、該グロメット係止部の後方に、グロメット挿入治具のグロメット挿入部先端に設けた連結部と連結し前記グロメット挿入治具を所定距離牽引する牽引部とを備えたグロメット挿入治具牽引装置とで構成される。
【００１０】
また、本考案に係るグロメット挿入治具のコネクタ収納部は、コネクタ収納部を通過した後のグロメットの自然収縮によりコネクタが引っ張られて収納部から脱落することを防止するためのストッパを備えている。
【考案の効果】
【００１１】
本考案に係る長尺グロメット挿通装置によれば、ワイヤーハーネスをグロメットに挿通する際に最も障害となるコネクタ部分をグロメット挿通治具の内部に収納し、グロメットが挿入治具の外側を滑りながら移動するようにしたので、長尺グロメットに局部的な拡張力が加わらないためグロメットを損傷することなく、コネクタの付いた状態のワイヤーハーネスを容易かつ短時間に挿通させることができる。したがってグロメットの部分的な損傷による耐久性低下を防止し、作業効率を大幅に向上させ、かつワイヤーハーネスのコネクタの誤配線を防止することが可能となる。
【考案を実施するための最良の形態】
【００１２】
以下、この考案の一実施形態について図１から図７に基づいて説明する。図１は本考案の長尺グロメット挿通装置の一例である。また、図２は本考案の長尺グロメット挿入治具の一例である。
本考案に係る長尺グロメット挿通装置においては、図３乃至図７に示すように、グロメットに挿通するワイヤーハーネスのコネクタを、寸法が小さいものから順次挿入治具後端のコネクタ収容部に入れ、最後にコネクタ脱落防止用のストッパをセットする。そして、他端のロッド状のグロメット挿入部に所定のグロメットを挿入する。この状態の挿入治具を、グロメット挿入治具牽引装置の前面に配設した、スプリング等で閉方向に付勢されグロメット挿入治具の外径に応じて開口寸法が変化する、グロメット係止部の開口部に差し込み、グロメット挿入部先端の連結部を牽引部に固定する。
この状態で前記牽引装置を用いてグロメット挿入治具を牽引すると、グロメットはグロメット係止部によってその一端の移動が遮られるため、牽引部との協働効果によって扱かれ、他端は順次挿入治具のテーパー部でその内径を拡張されつつコネクタ収納部の方向に進んでゆく。
前記牽引部はグロメット挿入治具のコネクタ収納部の端部が前記グロメット係止部を通過する直前で牽引を停止する。この位置において、グロメットは自己の収縮力により自然に元の形状に戻りながらワイヤーハーネスの電線部分に移動し挿通工程が終了する。挿通終了後、コネクタ収納部のストッパを解除し、コネクタ収納部からコネクタを取り出して、長尺グロメットへのワイヤーハーネスの挿通作業が完了する。また、前記牽引装置は復帰スイッチ（図示しない）を動作することにより、グロメット挿入治具を元の位置に押し戻し停止する。
【００１３】
前記グロメット挿入治具のグロメット挿入部先端と牽引部とを連結する構造としては、グロメット挿入の障害にならず、かつ脱着が容易な連結手段、例えば、ピン、カプラ、ねじ、クランプ等の連結構造が適用できる。
【００１４】
前記グロメット挿入治具のコネクタ収納部の断面形状は円形が好ましいが、コネクタの寸法が大きい場合には、外周角部にＲ（丸み）をつけた矩形の形状であってもよい。
また、前記コネクタ収納部にはグロメット挿通途中でコネクタが脱落しないように開閉可能なストッパが設けられている。
【００１５】
前記グロメット挿入治具の、ロッド状のグロメット挿入部からコネクタ収納部に向かって外径が漸増するテーパー部の形状は、その断面の形状が、ロッド部側からコネクタ収納部に向かって緩やかな凹曲線を描き、コネクタ収納部の付近から凸曲線を描く、いわゆる一升瓶のような円錐状が好ましいが、グロメットの材質及び形態によっては、短い急な円錐と円筒を順次組み合わせて段階的に外径を増加させてコネクタ収納部の外形寸法に一致させるようにしてもよい。
当該グロメット挿入治具の表面はグロメットとの摩擦抵抗が小さくなる構造及び素材が好ましい。例えば、表面にメッキを施し平滑性を高めたり、表面の長手方向に複数の突条又は溝を設けグロメットとの接触面積を減少させたり、表面にフッ素樹脂等の摩擦係数の小さい素材をコーティングしたり、アルマイト加工処理やカシマコート（商品名）処理をほどこしたり、テーパー部に複数のエア吹出孔を設け、エアの圧力でグロメットを僅かに膨張させ摩擦抵抗を減少させる構造も有効である。
【００１６】
前記グロメット挿入治具と組み合わせて使用する牽引装置には、前記グロメット挿入治具に挿入されたグロメットを扱く手段として、図１１に示すようなスプリング等で閉方向に付勢され、グロメット挿入治具の外径に従って開口寸法が変化するグロメット係止部が装置前面に配設されている。
なお、グロメット係止部は上記構造のものに限られず、グロメット挿入治具に挿入されたグロメットを牽引力に抗してコネクタ収納部方向に扱きつつ移動させ得る構造であれば良く、伸縮性と保持力のあるスポンジ等の弾性体でグロメットの端部又は外周を保持する構造のものであってもよい。
また、前記グロメット挿入治具の牽引部としては、クランク、ピニオン・ラック、エアシリンダ、ボールスクリュー等の直線的牽引構造が適用可能である。
【図面の簡単な説明】
【００１７】
【図１】本考案に係るグロメット挿通装置の斜視図である。
【図２】本考案のグロメット挿入治具の長手方向断面図である。
【図３】本考案のコネクタ収納部にワイヤーハーネスのコネクタを順次収納する概念図である。
【図４】コネクタ収納部にワイヤーハーネスのコネクタを収納し、ストッパをセットした状態を表す概念図である。
【図５】グロメット挿入治具のグロメット挿入部に長尺グロメットを挿入した状態を表す概念図である。
【図６】本考案のグロメット挿通装置において長尺グロメットを挿通する過渡状態を表す平面（上面）から見た概念図である。
【図７】ワイヤーハーネスにグロメットを挿通後、コネクタ収納部のストッパを解除し、グロメットの挿通が完了した状態を表す概念図である。
【図８】ストッパ収納部の断面が矩形の場合を表す左側面図（コネクタ収納部側）である。
【図９】グロメット挿入治具のテーパー部の径を段階的に太くする例を表す概念図である。
【図１０】テーパー部にエア吹出孔を設けたグロメット挿入治具の長手方向断面図である。
【図１１】ａはスプリングで付勢する構造のグロメット係止部にグロメット挿入治具の先端を差込んだ状態を表す概念図である。ｂはスプリングで付勢する構造のグロメット係止部にグロメット挿入治具のコネクタ収納部が到達した状態を表す概念図である。
【符号の説明】
【００１８】
１  グロメット挿入治具
２  グロメット挿入治具牽引装置
３  グロメット挿入部
４  テーパー部
５  コネクタ収納部
６  グロメット挿入治具の連結部
７  コネクタ・ストッパ
８  グロメット係止部
９  グロメット
１０  コネクタ
１１  ワイヤーハーネス
１２  牽引部の連結部
１３  牽引部（エアシリンダ）
１４  エア吹出孔
【図１】
0003120344.tif 000003
【図２】
0003120344.tif 000004
【図３】
0003120344.tif 000005
【図４】
0003120344.tif 000006
【図５】
0003120344.tif 000007
【図６】
0003120344.tif 000008
【図７】
0003120344.tif 000009
【図８】
0003120344.tif 000010
【図９】
0003120344.tif 000011
【図１０】
0003120344.tif 000012
【図１１】
0003120344.tif 000013